【手続補正書】
【提出日】平成19年3月20日(2007.3.20)
【手続補正１】
【補正対象書類名】明細書
【補正対象項目名】特許請求の範囲
【補正方法】変更
【補正の内容】
【特許請求の範囲】
【請求項１】
光源手段と、該光源手段から出射した光束の状態を変換する第１の光学系と、入射した光束を主走査方向に反射偏向する回転多面鏡と、該変換された光束を該回転多面鏡の偏向面に主走査方向に長手の線状の光束として結像させる第２の光学系と、該回転多面鏡で反射偏向された光束を被走査面上に結像させる第３の光学系と、を有する走査光学装置において、
主走査断面内において、該回転多面鏡で反射偏向された光束が、該第３の光学系の光軸に対して該光源手段と反対側の被走査面の一端へ向かうときの該回転多面鏡の偏向面の状態を第１の状態、該光源手段側の被走査面の一端へ向かうときの該回転多面鏡の偏向面の状態を第２の状態と定義し、
主走査断面内における該第１の状態と該第２の状態との偏向面の交点をクロスポイントとしたとき、
主走査断面内において、該第２の光学系を通過した光束の主光線が該クロスポイントを通過しておらず、
主走査断面内における該クロスポイントから該第１の光学系を通過した光束の主光線に垂直に下した距離をΔ（ｍｍ）、主走査断面内における該回転多面鏡に入射する光束の入射角をα（度）、該回転多面鏡の面倒れ角をφ（度）、主走査断面内における該第１の光学系を通過した光束の主光線方向への該回転多面鏡の回転に伴う偏向面の移動量をｌ（ｍｍ）、該第３の光学系の副走査方向の横倍率をβs 、該回転多面鏡の外接円半径をr（ｍｍ）、該回転多面鏡の偏向面の面数をＭ、該回転多面鏡で反射偏向された光束が該被走査面上の両端へ向かうときの該回転多面鏡の回転角をθf（度）、該回転多面鏡の回転角をθp（度）としたとき、
【数１】
2001281584.tif 000001
なる条件を満足することを特徴とする走査光学装置。
【請求項２】
主走査断面内において、前記第２の光学系により結像する線像を、前記回転多面鏡に入射する光束の主光線が前記第１の状態の該回転多面鏡の偏向面と交わる点と前記第２の状態の該回転多面鏡の偏向面と交わる点との間に位置するようにしたことを特徴とする請求項１に記載の走査光学装置。
【請求項３】
前記走査光学装置は、
０．５×（１８０（度）／Ｍ）≦θf
｜βs｜≧２
なる条件を満足することを特徴とする請求項１又は２に記載の走査光学装置。
【請求項４】
前記回転多面鏡の隣り合う偏向面の倒れ角差は３分以内であることを特徴とする請求項１乃至３のいずれか１項記載の走査光学装置。
【請求項５】
前記請求項１乃至４のいずれか１項記載の走査光学装置と、該走査光学装置の被走査面に配置された感光ドラムと、該感光ドラムの表面を光束が走査することによって形成された静電潜像をトナー像として現像する現像手段と、該現像されたトナー像を用紙に転写する転写手段と、転写されたトナー像を用紙に定着させる定着手段とを備えたことを特徴とする画像形成装置。
【手続補正２】
【補正対象書類名】明細書
【補正対象項目名】０００６
【補正方法】変更
【補正の内容】
【０００６】
【課題を解決するための手段】
請求項１の発明の走査光学装置は、
光源手段と、該光源手段から出射した光束の状態を変換する第１の光学系と、入射した光束を主走査方向に反射偏向する回転多面鏡と、該変換された光束を該回転多面鏡の偏向面に主走査方向に長手の線状の光束として結像させる第２の光学系と、該回転多面鏡で反射偏向された光束を被走査面上に結像させる第３の光学系と、を有する走査光学装置において、
主走査断面内において、該回転多面鏡で反射偏向された光束が、該第３の光学系の光軸に対して該光源手段と反対側の被走査面の一端へ向かうときの該回転多面鏡の偏向面の状態を第１の状態、該光源手段側の被走査面の一端へ向かうときの該回転多面鏡の偏向面の状態を第２の状態と定義し、
主走査断面内における該第１の状態と該第２の状態との偏向面の交点をクロスポイントとしたとき、
主走査断面内において、該第２の光学系を通過した光束の主光線が該クロスポイントを通過しておらず、
主走査断面内における該クロスポイントから該第１の光学系を通過した光束の主光線に垂直に下した距離をΔ（ｍｍ）、主走査断面内における該回転多面鏡に入射する光束の入射角をα（度）、該回転多面鏡の面倒れ角をφ（度）、主走査断面内における該第１の光学系を通過した光束の主光線方向への該回転多面鏡の回転に伴う偏向面の移動量をｌ（ｍｍ）、該第３の光学系の副走査方向の横倍率をβs 、該回転多面鏡の外接円半径をr（ｍｍ）、該回転多面鏡の偏向面の面数をＭ、該回転多面鏡で反射偏向された光束が該被走査面上の両端へ向かうときの該回転多面鏡の回転角をθf（度）、該回転多面鏡の回転角をθp（度）としたとき、
【数２】
2001281584.tif 000002
なる条件を満足することを特徴としている。
【手続補正３】
【補正対象書類名】明細書
【補正対象項目名】０００７
【補正方法】変更
【補正の内容】
【０００７】
請求項２の発明は請求項１の発明において、
主走査断面内において、前記第２の光学系により結像する線像を、前記回転多面鏡に入射する光束の主光線が前記第１の状態の該回転多面鏡の偏向面と交わる点と前記第２の状態の該回転多面鏡の偏向面と交わる点との間に位置するようにしたことを特徴としている。
【手続補正４】
【補正対象書類名】明細書
【補正対象項目名】０００８
【補正方法】変更
【補正の内容】
【０００８】
請求項３の発明は請求項１又は２の発明において、
前記走査光学装置は、
０．５×（１８０（度）／Ｍ）≦θf
｜βs｜≧２
なる条件を満足することを特徴としている。
【手続補正５】
【補正対象書類名】明細書
【補正対象項目名】０００９
【補正方法】変更
【補正の内容】
【０００９】
請求項４の発明は請求項１乃至３のいずれか１項の発明において、
前記回転多面鏡の隣り合う偏向面の倒れ角差は３分以内であることを特徴としている。
【手続補正６】
【補正対象書類名】明細書
【補正対象項目名】００１０
【補正方法】変更
【補正の内容】
【００１０】
請求項５の発明の画像形成装置は、
前記請求項１乃至４のいずれか１項記載の走査光学装置と、該走査光学装置の被走査面に配置された感光ドラムと、該感光ドラムの表面を光束が走査することによって形成された静電潜像をトナー像として現像する現像手段と、該現像されたトナー像を用紙に転写する転写手段と、転写されたトナー像を用紙に定着させる定着手段とを備えたことを特徴としている。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】